(57)【要約】【課題】スプラッシュをより効果的に利用して蒸気の発生を効率的に行い吸収剤の高濃度化を益々促進して再生効率を向上させることができる半満液式再生器を供する。【解決手段】両面に凹凸加工を施した２枚の板状体１２，１３を互いに重ね合わせて形成した素子１１を所定の間隔を存して複数個重ね合わせて多板式コア１０を形成し、各素子１１が鉛直面に平行な姿勢で配列されるように該多板式コア１０がケース２内に配置され、多板式コア１０の各素子１１の内側の空間に加熱媒体Ｓを通し、ケース２内に半満液に貯留した吸収剤Ｌが多板式コア１０の各素子間の所定間隔ｄを存した空間の下半部を満たす半満液式再生器。【選択図】  図５
2004308933.tif 000002
【特許請求の範囲】
【請求項１】
両面に凹凸加工を施した２枚の板状体を互いに重ね合わせて形成した素子を所定の間隔を存して複数個重ね合わせて多板式コアを形成し、
前記各素子が鉛直面に平行な姿勢で配列されるように該多板式コアがケース内に配置され、
前記多板式コアの各素子の内側の空間に加熱媒体を通し、
前記ケース内に半満液に貯留した吸収剤が前記多板式コアの各素子間の所定間隔を存した空間の下半部を満たすことを特徴とする半満液式再生器。
【請求項２】
前記多板式コアの素子を形成する２枚の板状体はその周縁に沿って互いに密封されていることを特徴とする請求項１記載の半満液式再生器。
【請求項３】
前記各板状体は、両端部の互いに対応する箇所にそれぞれ開口を有し、同２枚の板状体を互いに重ね合わせて形成した素子を複数個重ね合わせたとき前記開口が連なって加熱媒体の導入通路と導出通路がそれぞれ形成されることを特徴とする請求項１または請求項２記載の半満液式再生器。
【請求項４】
前記導出通路は、前記多板式コアの最下位置に形成されたことを特徴とする請求項３記載の半満液式再生器。
【発明の詳細な説明】
【０００１】
【発明の属する技術分野】
本発明は、吸収式冷凍機において吸収器中で上記を吸収して薄くなった吸収剤を導入し高濃度に再生して吸収器に送り返す半満液式の再生器に関する。
【０００２】
【従来の技術】
半満液式の再生器については、同じ出願人が先に出願した例（特開平７−８３５３４号公報）がある。
同例を図６に示す。
【０００３】
吸収剤０３を半満液に貯留するケース０１内を縦横間隔を存して平行に複数の加熱管０２が貫通し、加熱管０２内を加熱水０４を流して吸収剤０３を加熱するものであり、吸収剤０３の液面高さの加熱管０２は断面が縦長の長円状をなし、隣り合う加熱管０２の間隔を狭くしている。
【０００４】
加熱管０２，０２間で加熱された吸収剤は、核沸騰を起こし蒸気を発生して吸収剤を上方へ跳ね上げる所謂スプラッシュが生じる。
スプラッシュ効果によりさらに上段の加熱管０２にかかった吸収剤が加熱されて蒸気を発生させることになり、吸収剤の高濃度化が促進される。
【０００５】
【発明が解決しようとする課題】
しかし加熱管０２は、管状体であり、断面を縦長の長円状にしても吸収剤に触れる面積には限界があり、スプラッシュにより跳ね上げられた吸収剤の全部が上段の加熱管０２へかかるわけではなく、多くが再び貯留した吸収剤に戻ることになり、蒸気が必ずしも効果的に発生しているわけではない。
【０００６】
本発明は、かかる点に鑑みなされたもので、その目的とする処は、スプラッシュをより効果的に利用して蒸気の発生を効率的に行い吸収剤の高濃度化を益々促進して再生効率を向上させることができる半満液式再生器を供する点にある。
【０００７】
【課題を解決するための手段及び作用効果】
上記目的を達成するために、本請求項１記載の発明は、両面に凹凸加工を施した２枚の板状体を互いに重ね合わせて形成した素子を所定の間隔を存して複数個重ね合わせて多板式コアを形成し、前記各素子が鉛直面に平行な姿勢で配列されるように該多板式コアがケース内に配置され、前記多板式コアの各素子の内側の空間に加熱媒体を通し、前記ケース内に半満液に貯留した吸収剤が前記多板式コアの各素子間の所定間隔を存した空間の下半部を満たす半満液式再生器とした。
【０００８】
両面に凹凸加工を施した２枚の板状体を互いに重ね合わせて形成した素子を所定の間隔を存して複数個重ね合わせて形成した多板式コアを、吸収剤を半満液に貯留するケース内に配置するので、凹凸加工を施した板状体により吸収剤の接触面積が大きく、素子内を通る加熱媒体により素子間の間隙にある吸収剤は効率的に加熱されて核沸騰を起こして蒸気を発生し、その蒸気が素子間の間隙で吸収剤を押し上げスプラッシュを生じ、跳ね上げられた吸収剤は両側の凹凸形状の板状体表面に全てかかり、十分加熱されて効率良く蒸気を発生させることができる。
したがって吸収剤の高濃度化を益々促進して再生効率を向上させることができる。
【０００９】
請求項２記載の発明は、請求項１記載の半満液式再生器において、前記多板式コアの素子を形成する２枚の板状体がその周縁に沿って互いに密封されていることを特徴とする。
【００１０】
各素子を形成する２枚の板状体を周縁に沿って互いに密封することにより、各素子内の加熱媒体の通路を各素子間の他方の吸収剤の通路から確実に区画して、互いの間で漏洩するのを防止することができる。
【００１１】
請求項３記載の発明は、請求項１または請求項２記載の半満液式再生器において、前記各板状体が、両端部の互いに対応する箇所にそれぞれ開口を有し、同２枚の板状体を互いに重ね合わせて形成した素子を複数個重ね合わせたとき前記開口が連なって加熱媒体の導入通路と導出通路がそれぞれ形成されることを特徴とする。
【００１２】
各素子の両端部に開口を形成してこれを連ねて加熱媒体の導入、導出通路を形成することができるので、該媒体用のタンク等を設ける必要がなく、部品点数を削減することができ、かつ小型化が可能である。
【００１３】
請求項４記載の発明は、請求項３記載の半満液式再生器において、前記導出通路が、前記多板式コアの最下位置に形成されたことを特徴とする。
【００１４】
多板式コアの最下位置に導出通路が形成されることで、各素子内に加熱媒体の部分的な滞留が生じるのを防止して加熱媒体を満遍なく円滑に流して吸収剤を効率良く加熱することができる。
【００１５】
【発明の実施の形態】
以下本発明に係る一実施の形態について図１ないし図５に基づき説明する。
本実施の形態に係る半満液式再生器１は、ケース２内に多板式コア１０が内蔵されたものであり、吸収剤としてリチウムブロマイドＬｉＢｒ水溶液Ｌを使用し、加熱媒体として加熱蒸気Ｓを用いる。
【００１６】
ＬｉＢｒ水溶液Ｌを半満液に貯留するケース２は、概ね直方体状の箱体であり、傾斜した底壁２ａの高い位置から低濃度のＬｉＢｒ水溶液Ｌを導入する導入路３が延出しており、底壁２ａの中央の最も低い箇所から高濃度のＬｉＢｒ水溶液Ｌを導出する導出路４が延出している。
【００１７】
ケース２の上壁２ｂには発生した蒸気を取り出し凝縮器の方へ送る取出口５が設けられている。
【００１８】
このケース２内に内蔵される多板式コア１０は、両面に凹凸加工を施した２枚の矩形の板状体１２，１３を互いに重ね合わせて形成した素子１１を所定の間隔を存して複数個重ね合わせて構成している。
【００１９】
図４および図５に示すように素子１１を構成する板状体１２，１３は、両面に凹凸加工が施され、互いの合せ面に突出した凸部１２ａ，１３ａどうしが当接し、周縁は互いに気密に接着されて密封されている。
【００２０】
板状体１２，１３の一端上部に偏平な円筒開口１２ｂ，１３ｂが互いに対応して外側へ若干突出して形成されており、同様に他端下部にも偏平な円筒開口１２ｃ，１３ｃが互いに対応して外側へ若干突出して形成されている。
【００２１】
板状体１２，１３を互いに重ね合わせて形成した素子１１を複数個重ね合わせるとき、一方の素子１１の板状体１２の円筒開口１２ｂ，１２ｃと他方の素子１１の互いに対向する板状体１３の円筒開口１３ｂ，１３ｃとを順次連結する。
【００２２】
すると構成された多板式コア１０の一端上部に円筒開口１２ｂ，１３ｂが順次連結されて媒体導入通路１５が形成され、他端下部に円筒開口１２ｃ，１３ｃが順次連結されて媒体導出通路１６が形成される。
【００２３】
そして連結される円筒開口１２ｂ，１３ｂおよび円筒開口１２ｃ，１３ｃにより隣り合う素子１１どうしの間隔は、所定間隔ｄに保たれる。
この所定間隔ｄは、２〜１５ｍｍに設定されている。
【００２４】
なお多板式コア１０の最外側の素子の円筒開口の一方は閉塞され、他方は媒体の導入口１５ａおよび導出口１６ａとしてさらに延出してケース２の側壁を貫通する。
したがって各素子１１内の空間は共通の媒体導入通路１５と媒体導出通路１６により連通されている。
【００２５】
以上のような多板式コア１０が各素子１１が鉛直面に平行な姿勢で配列されるようにケース２内に配置されるが、多板式コア１０は図２に示すように媒体導出通路１６がさらに低い位置になるように約２〜１０度傾斜させる。
【００２６】
本半満液式再生器１は、以上のような構造をなしており、ケース２の導入路３から導入されたＬｉＢｒ水溶液Ｌがケース２を半満液に貯留し、多板式コア１０の下半部がＬｉＢｒ水溶液Ｌに没する。
【００２７】
多板式コア１０の導入口１５ａから導入された加熱蒸気Ｓは、媒体導入通路１５から各素子１１内に満遍なく行き渡り、各素子１１の凹凸加工された板状体１２，１３を介してＬｉＢｒ水溶液Ｌを加熱し、凝縮液として媒体導出通路１６を通って導出口１６ａから排出される。
【００２８】
多板式コア１０の素子１１は、凹凸加工を施した板状体１１，１２が重ね合わされているので、ＬｉＢｒ水溶液Ｌに没した板状体１１，１２のＬｉＢｒ水溶液Ｌに接触する面積が大きく、ＬｉＢｒ水溶液Ｌは効率的に加熱され、核沸騰を起こして大いに蒸気を発生する（図５参照）。
【００２９】
素子１１どうしの間隔は、２〜１５ｍｍの比較的に狭い間隔ｄを有するので、図５に示すように素子間の間隙にあるＬｉＢｒ水溶液Ｌは核沸騰による蒸気の発生でＬｉＢｒ水溶液Ｌを押し上げ勢い良く跳ね上げスプラッシュを生じさせる。
【００３０】
跳ね上げられたＬｉＢｒ水溶液Ｌは、吸収剤は両側の凹凸形状の板状体１２，１３の表面に全てかかり、表面凹部に保持されなどして簡単には流れ落ちず、その間に十分加熱されて効率良く蒸気を発生させることができる。
【００３１】
したがってケース２内に導入された低濃度のＬｉＢｒ水溶液Ｌは、効率良く高濃度化されて導出路４から導き出され、高濃度に再生されたＬｉＢｒ水溶液Ｌは再び吸収器に回送される。
【００３２】
したがってＬｉＢｒ水溶液Ｌの高濃度化を益々促進して再生効率を向上させることができる。
【００３３】
本多板式コア１０は、各素子１１を重ね合せることで、媒体導入通路１５，媒体導出通路１６が形成されるので、媒体用のタンク等を設ける必要がなく、部品点数を削減することができ、かつ小型化が可能である。
【００３４】
多板式コア１０を傾斜させて最下位置に媒体導出通路１６が位置するようにしているので、各素子１１内の底部に凝縮液が滞留するのを防止して全て媒体導出通路１６から流出させて蒸気を満遍なく円滑に流してＬｉＢｒ水溶液Ｌを効率良く加熱することができる。
【００３５】
本実施の形態では、吸収剤としてＬｉＢｒを用いたが、ＮＭＰ（ｎ−ｍｅｔｙｌｐｙｒｒｏｌｉｄｏｎｅ），ＤＭＩ（Ｄｉｍｅｔｙｌｉｍｉｄａｚｏｌｌｄｉｎｏｎｅ）等の他の吸収剤にも適用できる。
同様に冷媒も水に限らず、ＴＦＥ（２，２，２−トリフルオロエタノール），ＮＨ３等他の冷媒にも適用できる。
【図面の簡単な説明】
【図１】本発明の一実施の形態に係る半満液式再生器の内部構造を示す図である。
【図２】多板式コアの側面図である。
【図３】同平面図である。
【図４】素子の要部拡大断面図である。
【図５】半満液式再生器の要部拡大断面図である。
【図６】従来の半満液式再生器の断面図である。
【符号の説明】
Ｌ…ＬｉＢｒ水溶液、Ｓ…加熱蒸気、
１…半満液式再生器、２…ケース、３…導入路、４…導出路、５…取出口、１０…多板式コア、１１…素子、１２…板状体、１３…板状体、１５…媒体導入通路、１６…媒体導出通路。
【図１】
2004308933.tif 000003
【図２】
2004308933.tif 000004
【図３】
2004308933.tif 000005
【図４】
2004308933.tif 000006
【図５】
2004308933.tif 000007
【図６】
2004308933.tif 000008